(57)【特許請求の範囲】
【請求項１】
パケットの送信元、前記パケットの送信先、前記送信元と前記送信先との間で前記パケットを転送する複数の交換装置、及び前記パケットのデータ量の計測を制御するデータ量計測制御装置を含んで構成されるトラヒック情報取得システムにて実行されるトラヒック情報取得方法であって、
前記データ量計測制御装置が、前記送信元から受信した、当該送信元を識別するための送信元情報又は前記送信先を識別するための送信先情報のいずれか一方に基づいて、当該送信元又は前記送信先がトラヒック情報の取得対象であるか否かを判断する取得対象判断工程と、
前記データ量計測制御装置が、前記送信元から送信された前記パケットを受信する受信工程と、
前記データ量計測制御装置が、前記送信元又は前記送信先がトラヒック情報の取得対象である場合に、受信した前記パケットのヘッダに、当該パケットのデータ量の計測を指示する指示情報を格納する格納工程と、
前記データ量計測制御装置が、受信した前記パケットを前記交換装置に送信する送信工程と、
前記交換装置が、受信した前記パケットの前記ヘッダに、前記指示情報が格納されているか否かを判断する指示情報判断工程と、
前記交換装置が、前記指示情報が格納されている場合に、当該パケットのデータ量を計測する計測工程と、
前記交換装置が、前記送信元情報又は前記送信先情報に対応付けて前記データ量を記憶する記憶工程と、
を有することを特徴とするトラヒック情報取得方法。
【請求項２】
前記データ量計測制御装置が、取得対象判断工程において前記送信元又は前記送信先がトラヒック情報の取得対象であると判断した場合に、当該パケットのデータ量を計測するデータ量計測工程と、
前記データ量計測制御装置が、前記送信元情報又は前記送信先情報に対応付けて前記データ量を記憶するデータ量記憶工程と、
をさらに有することを特徴とする請求項１に記載のトラヒック情報取得方法。
【請求項３】
前記トラヒック情報取得システムは、
前記送信元又は前記送信先がトラヒック情報の取得対象であるか否かを示す取得対象情報を、当該送信元の送信元情報又は当該送信先の送信先情報に対応付けて一括で管理する情報管理装置をさらに含み、
前記取得対象判断工程は、
前記データ量計測制御装置が、前記情報管理装置から前記送信元情報又は前記送信先情報に対応する前記取得対象情報を取得することにより、前記送信元又は前記送信先がトラヒック情報の取得対象であるか否かを判断する工程である、
ことを特徴とする請求項１又は２に記載のトラヒック情報取得方法。
【請求項４】
前記パケットは、携帯型端末から送信されたパケット、又は前記トラヒック情報取得システムに接続された他のネットワークから送信されたパケットである、
ことを特徴とする請求項１〜３のいずれか１項に記載のトラヒック情報取得方法。
【請求項５】
パケットの送信元、前記パケットの送信先、前記送信元と前記送信先との間で前記パケットを転送する複数の交換装置、及び前記パケットのデータ量の計測を制御するデータ量計測制御装置を含んで構成されるトラヒック情報取得システムであって、
前記データ量計測制御装置は、
前記送信元から受信した、当該送信元を識別するための送信元情報又は前記送信先を識別するための送信先情報のいずれか一方に基づいて、当該送信元又は前記送信先がトラヒック情報の取得対象であるか否かを判断する取得対象判断手段と、
前記送信元から送信された前記パケットを受信する受信手段と、
前記送信元又は前記送信先がトラヒック情報の取得対象である場合に、受信した前記パケットのヘッダに、当該パケットのデータ量の計測を指示する指示情報を格納する格納手段と、
受信した前記パケットを前記交換装置に送信する送信手段と、
を有し、
前記交換装置は、
受信した前記パケットの前記ヘッダに、前記指示情報が格納されているか否かを判断する指示情報判断手段と、
前記指示情報が格納されている場合に、当該パケットのデータ量を計測する計測手段と、
前記送信元情報又は前記送信先情報に対応付けて前記データ量を記憶する記憶手段と、
を有する、
ことを特徴とするトラヒック情報取得システム。
【請求項６】
前記データ量計測制御装置は、
前記送信元又は前記送信先がトラヒック情報の取得対象である場合に、当該パケットのデータ量を計測するデータ量計測手段と、
前記送信元情報又は前記送信先情報に対応付けて前記データ量を記憶するデータ量記憶手段と、
をさらに有することを特徴とする請求項５に記載のトラヒック情報取得システム。
【請求項７】
前記トラヒック情報取得システムは、
前記送信元又は前記送信先がトラヒック情報の取得対象であるか否かを示す取得対象情報を、当該送信元の送信元情報又は当該送信先の送信先情報に対応付けて一括で管理する情報管理装置をさらに含み、
前記データ量計測制御装置の前記取得対象判断手段は、
前記情報管理装置から前記送信元情報又は前記送信先情報に対応する前記取得対象情報を取得することにより、前記送信元又は前記送信先がトラヒック情報の取得対象であるか否かを判断する、
ことを特徴とする請求項５又は６に記載のトラヒック情報取得システム。
【請求項８】
前記パケットは、携帯型端末から送信されたパケット、又は前記トラヒック情報取得システムに接続された他のネットワークから送信されたパケットである、
ことを特徴とする請求項５〜７のいずれか１項に記載のトラヒック情報取得システム。
【請求項９】
パケットの送信元、前記パケットの送信先、及び前記送信元と前記送信先との間で前記パケットを転送する際に、当該パケットのヘッダに格納された情報に従って当該パケットのデータ量を計測する複数の交換装置と共にトラヒック情報取得システムを構成し、前記パケットのデータ量の計測を制御するデータ量計測制御装置であって、
前記送信元から受信した、当該送信元を識別するための送信元情報又は前記送信先を識別するための送信先情報のいずれか一方に基づいて、当該送信元又は前記送信先がトラヒック情報の取得対象であるか否かを判断する取得対象判断手段と、
前記送信元から送信された前記パケットを受信する受信手段と、
前記送信元又は前記送信先がトラヒック情報の取得対象である場合に、受信した前記パケットの前記ヘッダに、当該パケットのデータ量の計測を指示する指示情報を格納する格納手段と、
受信した前記パケットを前記交換装置に送信する送信手段と、
を有することを特徴とするデータ量計測制御装置。
【請求項１０】
前記送信元又は前記送信先がトラヒック情報の取得対象である場合に、当該パケットのデータ量を計測するデータ量計測手段と、
前記送信元情報又は前記送信先情報に対応付けて前記データ量を記憶するデータ量記憶手段と、
をさらに有することを特徴とする請求項９に記載のデータ量計測制御装置。
【請求項１１】
前記トラヒック情報取得システムは、
前記送信元又は前記送信先がトラヒック情報の取得対象であるか否かを示す取得対象情報を、当該送信元の送信元情報又は当該送信先の送信先情報に対応付けて一括で管理する情報管理装置をさらに含み、
前記取得対象判断手段は、
前記情報管理装置から前記送信元情報又は前記送信先情報に対応する前記取得対象情報を取得することにより、前記送信元又は前記送信先がトラヒック情報の取得対象であるか否かを判断する、
ことを特徴とする請求項９又は１０に記載のデータ量計測制御装置。
【請求項１２】
パケットの送信元、前記パケットの送信先、及び前記送信元又は前記送信先がトラヒック情報の取得対象である場合に、前記送信元から受信した前記パケットのヘッダに、当該パケットのデータ量の計測を指示する指示情報を格納するデータ量計測制御装置と共にトラヒック情報取得システムを構成し、前記データ量計測制御装置と前記送信先との間に複数設けられ、前記パケットを転送する交換装置であって、
受信した前記パケットの前記ヘッダに、前記指示情報が格納されているか否かを判断する指示情報判断手段と、
前記指示情報が格納されている場合に、当該パケットのデータ量を計測する計測手段と、
前記送信元を識別するための送信元情報又は前記送信先を識別するための送信先情報に対応付けて前記データ量を記憶する記憶手段と、
を有することを特徴とする交換装置。
【発明の詳細な説明】
【０００１】
【発明の属する技術分野】
本発明は、パケット通信網においてトラヒック情報を取得するためのトラヒック情報取得方法、トラヒック情報取得システム、データ量計測制御装置及び交換装置に関する。なお、トラヒック情報とは、所望の時間帯や期間等に交換装置等が受信したパケットのデータ量を意味する。
【０００２】
【従来の技術】
パケット通信網においては、例えば、各交換機のデータ処理能力等の設備設計を行うために、特定の送信元又は特定の送信先の各交換機におけるトラヒック情報を取得することが重要である。このようなトラヒック情報の取得を行うためには、予め、目的に応じてトラヒック情報の取得対象とする送信元又は送信先の選定を行い、パケットが通過する可能性のある交換機を特定し、特定された交換機（特定不可能な場合はすべての交換機）それぞれに、取得対象である送信元又は送信先を示す情報を登録しておく必要がある。これにより、例えば、特定の送信元のトラヒック情報を取得する場合、各交換機は、受信したパケットがトラヒック情報の取得対象とした送信元から送信されたものであるか否かを判断することができ、前者の場合にパケットのデータ量を計測し記憶することで、取得対象とした送信元の各交換機におけるトラヒック情報を取得することができる。
【０００３】
【発明が解決しようとする課題】
しかしながら、上述したように、パケットが通過する可能性のある交換機を特定し、特定された交換機（特定不可能な場合はすべての交換機）それぞれに、トラヒック情報の取得対象である送信元又は送信先を示す情報を登録するのは、非常に手間のかかるものである。まして、取得対象とする送信元又は送信先は目的に応じて変更されるものであり、その度に各交換機において、登録した情報の変更を行わなければならない。
【０００４】
そこで、本発明は、このような事情に鑑みてなされたものであり、パケット通信網において特定の送信元又は特定の送信先のトラヒック情報を簡易に取得することのできるトラヒック情報取得方法、トラヒック情報取得システム、データ量計測制御装置及び交換装置を提供することを目的とする。
【０００５】
【課題を解決するための手段】
上記目的を達成するために、本発明に係るトラヒック情報取得方法は、請求項１のように、パケットの送信元、パケットの送信先、送信元と送信先との間でパケットを転送する複数の交換装置、及びパケットのデータ量の計測を制御するデータ量計測制御装置を含んで構成されるトラヒック情報取得システムにて実行されるトラヒック情報取得方法であって、データ量計測制御装置が、送信元から受信した、当該送信元を識別するための送信元情報又は送信先を識別するための送信先情報のいずれか一方に基づいて、当該送信元又は送信先がトラヒック情報の取得対象であるか否かを判断する取得対象判断工程と、データ量計測制御装置が、送信元から送信されたパケットを受信する受信工程と、データ量計測制御装置が、送信元又は送信先がトラヒック情報の取得対象である場合に、受信したパケットのヘッダに、当該パケットのデータ量の計測を指示する指示情報を格納する格納工程と、データ量計測制御装置が、受信したパケットを交換装置に送信する送信工程と、交換装置が、受信したパケットのヘッダに、指示情報が格納されているか否かを判断する指示情報判断工程と、交換装置が、指示情報が格納されている場合に、当該パケットのデータ量を計測する計測工程と、交換装置が、送信元情報又は送信先情報に対応付けてデータ量を記憶する記憶工程とを有することを特徴とする。
【０００６】
トラヒック情報の取得対象である送信元から送信されたパケット、又はトラヒック情報の取得対象である送信先へ送信されるパケットを受信した際には、データ量計測制御装置により、当該パケットのヘッダにデータ量の計測を指示する指示情報が格納される。これにより、パケットが通過する可能性のある交換機を特定し、特定された交換機（特定不可能な場合はすべての交換機）それぞれに、取得対象である送信元又は送信先を示す情報を登録しておかなくても、各交換装置が、受信したパケットのヘッダに指示情報が格納されているか否かを判断することで、取得対象である送信元から送信されたパケット、又は取得対象である送信先へ送信されるパケットのデータ量を計測することができ、さらに、送信元を識別するための送信元情報又は送信先を識別するための送信先情報に対応付けて当該データ量を記憶することで、トラヒック情報の取得対象である送信元又は送信先の各交換装置におけるトラヒック情報を取得することができる。
【０００７】
また、請求項２のように、データ量計測制御装置が、取得対象判断工程において送信元又は送信先がトラヒック情報の取得対象であると判断した場合に、当該パケットのデータ量を計測するデータ量計測工程と、データ量計測制御装置が、送信元情報又は送信先情報に対応付けてデータ量を記憶するデータ量記憶工程とをさらに有することが好ましい。
【０００８】
データ量計測制御装置もまた、トラヒック情報の取得対象である送信元から送信されたパケット、又はトラヒック情報の取得対象である送信先へ送信されるパケットを受信した際に、当該パケットのデータ量を計測し、送信元情報又は送信先情報に対応付けて当該データ量を記憶することで、データ量計測制御装置を複数設けた場合でも、取得対象である送信元又は送信先についての各データ量計測制御装置におけるトラヒック情報を取得することができるからである。
【０００９】
さらに、請求項３のように、トラヒック情報取得システムは、送信元又は送信先がトラヒック情報の取得対象であるか否かを示す取得対象情報を、当該送信元の送信元情報又は当該送信先の送信先情報に対応付けて一括で管理する情報管理装置をさらに含み、取得対象判断工程は、データ量計測制御装置が、情報管理装置から送信元情報又は送信先情報に対応する取得対象情報を取得することにより、送信元又は送信先がトラヒック情報の取得対象であるか否かを判断する工程であることが好ましい。
【００１０】
トラヒック情報の取得対象であるか否かを示す取得対象情報を登録する場合や目的に応じて変更する場合にも、情報管理装置が送信元情報又は送信先情報に対応付けて取得対象情報を一括で管理するため、情報管理装置が管理する情報のみの登録又は変更を行えばよく、変更処理の簡易化を図ることができるからである。
【００１１】
ところで、上記請求項１〜３に係るトラヒック情報取得方法についての発明は、トラヒック情報取得システム、データ量計測制御装置及び交換装置それぞれの視点から捉えると、以下のように記述することができる。これらは上記トラヒック情報取得方法の発明と同じ技術的思想に基づくものであり、その解決手段も上記と同じ思想に基づくものである。
【００１２】
本発明に係るトラヒック情報取得システムは、請求項５のように、パケットの送信元、パケットの送信先、送信元と送信先との間でパケットを転送する複数の交換装置、及びパケットのデータ量の計測を制御するデータ量計測制御装置を含んで構成されるトラヒック情報取得システムであって、データ量計測制御装置は、送信元から受信した、当該送信元を識別するための送信元情報又は送信先を識別するための送信先情報のいずれか一方に基づいて、当該送信元又は送信先がトラヒック情報の取得対象であるか否かを判断する取得対象判断手段と、送信元から送信されたパケットを受信する受信手段と、送信元又は送信先がトラヒック情報の取得対象である場合に、受信したパケットのヘッダに、当該パケットのデータ量の計測を指示する指示情報を格納する格納手段と、受信したパケットを交換装置に送信する送信手段とを有し、交換装置は、受信したパケットのヘッダに、指示情報が格納されているか否かを判断する指示情報判断手段と、指示情報が格納されている場合に、当該パケットのデータ量を計測する計測手段と、送信元情報又は送信先情報に対応付けてデータ量を記憶する記憶手段とを有することを特徴とする。
【００１３】
また、請求項６のように、データ量計測制御装置は、送信元又は送信先がトラヒック情報の取得対象である場合に、当該パケットのデータ量を計測するデータ量計測手段と、送信元情報又は送信先情報に対応付けてデータ量を記憶するデータ量記憶手段とをさらに有することが好ましい。
【００１４】
さらに、請求項７のように、トラヒック情報取得システムは、送信元又は送信先がトラヒック情報の取得対象であるか否かを示す取得対象情報を、当該送信元の送信元情報又は当該送信先の送信先情報に対応付けて一括で管理する情報管理装置をさらに含み、データ量計測制御装置の取得対象判断手段は、情報管理装置から送信元情報又は送信先情報に対応する取得対象情報を取得することにより、送信元又は送信先がトラヒック情報の取得対象であるか否かを判断することが好ましい。
【００１５】
本発明に係るデータ量計測制御装置は、請求項９のように、パケットの送信元、パケットの送信先、及び送信元と送信先との間でパケットを転送する際に、当該パケットのヘッダに格納された情報に従って当該パケットのデータ量を計測する複数の交換装置と共にトラヒック情報取得システムを構成し、パケットのデータ量の計測を制御するデータ量計測制御装置であって、送信元から受信した、当該送信元を識別するための送信元情報又は送信先を識別するための送信先情報のいずれか一方に基づいて、当該送信元又は送信先がトラヒック情報の取得対象であるか否かを判断する取得対象判断手段と、送信元から送信されたパケットを受信する受信手段と、送信元又は送信先がトラヒック情報の取得対象である場合に、受信したパケットのヘッダに、当該パケットのデータ量の計測を指示する指示情報を格納する格納手段と、受信したパケットを交換装置に送信する送信手段とを有することを特徴とする。
【００１６】
また、請求項１０のように、送信元又は送信先がトラヒック情報の取得対象である場合に、当該パケットのデータ量を計測するデータ量計測手段と、送信元情報又は送信先情報に対応付けてデータ量を記憶するデータ量記憶手段とをさらに有することが好ましい。
【００１７】
さらに、請求項１１のように、トラヒック情報取得システムは、送信元又は送信先がトラヒック情報の取得対象であるか否かを示す取得対象情報を、当該送信元の送信元情報又は当該送信先の送信先情報に対応付けて一括で管理する情報管理装置をさらに含み、取得対象判断手段は、情報管理装置から送信元情報又は送信先情報に対応する取得対象情報を取得することにより、送信元又は送信先がトラヒック情報の取得対象であるか否かを判断することが好ましい。
【００１８】
本発明に係る交換装置は、請求項１２のように、パケットの送信元、パケットの送信先、及び送信元又は送信先がトラヒック情報の取得対象である場合に、送信元から受信したパケットのヘッダに、当該パケットのデータ量の計測を指示する指示情報を格納するデータ量計測制御装置と共にトラヒック情報取得システムを構成し、データ量計測制御装置と送信先との間に複数設けられ、パケットを転送する交換装置であって、受信したパケットのヘッダに、指示情報が格納されているか否かを判断する指示情報判断手段と、指示情報が格納されている場合に、当該パケットのデータ量を計測する計測手段と、送信元を識別するための送信元情報又は送信先を識別するための送信先情報に対応付けてデータ量を記憶する記憶手段とを有することを特徴とする。
【００１９】
なお、上述したトラヒック情報取得方法およびトラヒック情報取得システムは、移動体通信網に適用可能であり、このとき、請求項４又は８のように、パケットは、携帯型端末から送信されたパケット、又はトラヒック情報取得システムに接続された他のネットワーク（例えば、インターネット）から送信されたパケットの両者の視点から捉えることができる。
【００２０】
【発明の実施の形態】
以下、図面と共に本発明の好適な実施形態について詳細に説明する。なお、本実施形態では、移動体通信網においてパケット通信のトラヒック情報を取得する場合について説明する。
【００２１】
本発明の実施形態に係るトラヒック情報取得システム１０の全体構成について、図１を参照して説明する。
【００２２】
トラヒック情報取得システム１０は、送信すべきデータをパケット１２に分割して送信する携帯型端末１４と、携帯型端末１４と通信を確立している基地局１６と、基地局１６を管理しているＰＰＭ（Ｐａｃｋｅｔ  Ｐｒｏｃｅｓｓｉｎｇ  Ｍｏｄｕｌｅ）１８と、網状に接続されて中継網２０を構成し、パケット１２の転送を行う複数の中継ＰＧＷ（Ｐａｃｋｅｔ  Ｇａｔｅｗａｙ  ｍｏｄｕｌｅ）２２とを含んで構成されている。
【００２３】
さらに、トラヒック情報取得システム１０は、中継網２０に接続され、加入者情報を管理するＭ−ＳＣＰ（Ｍｏｂｉｌｅ−Ｓｅｒｖｉｃｅ  Ｃｏｎｔｒｏｌ  Ｐｏｉｎｔ）２４と、中継網２０とインターネット２６やユーザＬＡＮ２８等の他のネットワークとの間にそれぞれ設けられ、携帯型端末１４から基地局１６、ＰＰＭ１８及び中継網２０を介して送信されてきたパケット１２を他のネットワーク用のプロトコルに変換し、プロトコル変換後のパケット３０を他のネットワークに送信する関門ＰＧＷ３２とを含んで構成されている。
【００２４】
なお、パケット１２は、図２に示すように、ユーザデータ部３４と、そのＩＰヘッダ３６と、本移動体通信網におけるパケット通信のための上位ヘッダ３８とを有している。上位ヘッダ３８には、携帯型端末１４の加入者番号を示す情報が格納されている。
【００２５】
上述したトラヒック情報取得システム１０のＭ−ＳＣＰ２４、ＰＰＭ１８、中継ＰＧＷ２２及び関門ＰＧＷ３２について説明する。
【００２６】
Ｍ−ＳＣＰ２４は、本移動体通信網に登録している加入者に関する加入者情報を加入者番号毎に一括で管理しており、加入者情報には、図３に示すように、トラヒック情報の取得対象であるか否かを示す取得対象情報が含まれている。本実施形態では、取得対象情報として「０」が付された加入者番号は非取得対象であることを示し、「１」が付された加入者番号は取得対象であることを示している。Ｍ−ＳＣＰ２４は、携帯型端末１４からのパケット発信要求に応じたＰＰＭ１８からの加入者情報の取得要求があった際に、ＰＰＭ１８に対し、当該加入者番号に対応する取得対象情報を含む加入者情報の通知を行う。
【００２７】
ＰＰＭ１８は、本移動体通信網におけるパケット通信のパケットのデータ量の計測を制御するものであり、図４に示すように、携帯型端末１４から加入者番号を示す情報（送信元情報）を含むパケット発信要求を受けて、Ｍ−ＳＣＰ２２に対し当該加入者番号に対応する取得対象情報を含む加入者情報の取得を要求して、当該加入者情報をＭ−ＳＣＰ２２から取得し、携帯型端末１４とのパケットチャネルを確立する加入者情報確認部４０と、Ｍ−ＳＣＰ２２から取得した加入者情報により携帯型端末１４がトラヒック情報の取得対象であるか否かを判断する取得対象判断部４２とを有している。
【００２８】
また、ＰＰＭ１８は、携帯型端末１４から送信されたパケット１２を受信する受信部４４と、受信したパケット１２が、その上位ヘッダ３８に格納された加入者番号を示す情報等から、取得対象判断部４２によりトラヒック情報の取得対象であると判断された携帯型端末１４から送信されたものである場合に、パケット１２のデータ量を計測する計測部４６と、加入者番号に対応付けてパケット１２のデータ量を記憶する記憶部４８とを有している。なお、記憶部４８は、図５に示すように、トラヒック情報の取得対象である携帯型端末の加入者番号に対応付けて、当該携帯型端末から送信されたパケットのデータ量を当該パケットの受信時刻と共に記憶テーブル５３に記憶する。
【００２９】
さらに、ＰＰＭ１８は、受信したパケット１２が取得対象判断部４２によりトラヒック情報の取得対象であると判断された携帯型端末１４から送信されたものである場合に、その上位ヘッダ３８に、当該パケット１２のデータ量の計測を指示する指示情報を格納する格納部５０と、パケット１２を中継ＰＧＷ２２に送信する送信部５２とを有している。
【００３０】
中継ＰＧＷ２２は、ＰＰＭ１８又は他の中継ＰＧＷ２２から送信されたパケット１２を受信する受信部５４と、パケット１２の上位ヘッダ３８に指示情報が格納されているか否かを判断する指示情報判断部５６と、指示情報が格納されている場合に、パケット１２のデータ量を計測する計測部５８と、加入者番号に対応付けてパケット１２のデータ量を記憶する記憶部６０と、パケット１２を他の中継ＰＧＷ２２又は関門ＰＧＷ３２に送信する送信部６２とを有している。なお、記憶部６０もまた、図５に示すＰＰＭ１８の記憶部４８の記憶テーブル５３と同様に、データ量の記憶を行う。
【００３１】
関門ＰＧＷ３２は、図６に示す中継ＰＧＷ２２と同様の構成を採るが、送信部６２の機能が異なっている。すなわち、関門ＰＧＷ３２の送信部６２は、携帯型端末１４から送信された一連のパケット１２から一旦元のデータを復元した後、インターネット２６やユーザＬＡＮ２８等の他のネットワーク用のプロトコルに変換し、プロトコル変換後のパケット３０を他のネットワークに送信する
【００３２】
次に、トラヒック情報取得システム１０の動作について、図７を参照して説明する。
【００３３】
ＰＰＭ１８の加入者情報確認部４０が、携帯型端末１４から加入者番号を示す情報を含むパケット発信要求を受けると（ステップＳ７０２）、Ｍ−ＳＣＰ２２に対し当該加入者番号に対応する取得対象情報を含む加入者情報の取得を要求して（ステップＳ７０４）、当該加入者情報をＭ−ＳＣＰ２２から取得し（ステップＳ７０６）、携帯型端末１４とのパケットチャネルを確立する（ステップＳ７０８）。これにより、携帯型端末１４から基地局１６を介して送信されてきたパケット１２を、ＰＰＭ１８の受信部４４が受信する（ステップＳ７１０）。
【００３４】
ＰＰＭ１８の取得対象判断部４２は、加入者情報確認部４０がＭ−ＳＣＰ２２から取得した取得対象情報を含む加入者情報により、携帯型端末１４がトラヒック情報の取得対象であるか否かを判断する（ステップＳ７１２）。
【００３５】
その結果、受信したパケット１２が、その上位ヘッダ３８に格納された加入者番号を示す情報等から、取得対象判断部４２によりトラヒック情報の取得対象であると判断された携帯型端末１４から送信されたものである場合には、ＰＰＭ１８の計測部４６が、パケット１２のデータ量を計測し（ステップＳ７１４）、ＰＰＭ１８の記憶部４６が、加入者番号に対応付けてパケット１２のデータ量を記憶する（ステップＳ７１６）。そして、ＰＰＭ１８の格納部５０が、パケット１２の上位ヘッダ３８に、当該パケット１２のデータ量の計測を指示する指示情報を格納して（ステップＳ７１８）、ＰＰＭ１８の送信部５２が、パケット１２を中継ＰＧＷ２２に送信する（ステップＳ７２０）。なお、ステップＳ７１８では、携帯型端末１４とＰＰＭ１８との間に適用されるプロトコルから、ＰＰＭ１８と関門ＰＧＷ３２との間に適用されるプロトコルへの変換が行われている。
【００３６】
また、受信したパケット１２が、取得対象判断部４２によりトラヒック情報の非取得対象であると判断された携帯型端末１４から送信されたものである場合には、ステップＳ７１４、Ｓ７１６及びＳ７１８の動作は行われずに、ＰＰＭ１８の送信部５２が、パケット１２を中継ＰＧＷ２２に送信する（ステップＳ７２０）。
【００３７】
ＰＰＭ１８の送信部５２から送信されたパケット１２を、中継ＰＧＷ２２の受信部５４が受信すると（ステップＳ７２０）、中継ＰＧＷ２２の指示情報判断部５６が、パケット１２の上位ヘッダ３８に指示情報が格納されているか否かを判断する（ステップＳ７２２）。
【００３８】
その結果、指示情報が格納されている場合には、中継ＰＧＷ２２の計測部５８が、パケット１２のデータ量を計測して（ステップＳ７２４）、中継ＰＧＷ２２の記憶部６０が、加入者番号に対応付けてパケット１２のデータ量を記憶した後（ステップＳ７２６）、中継ＰＧＷ２２の送信部６２が、パケット１２を他の中継ＰＧＷ２２又は関門ＰＧＷ３２に送信する（ステップＳ７２８）。
【００３９】
また、指示情報が格納されていない場合には、ステップＳ７２４及びＳ７２６の動作は行われずに、中継ＰＧＷ２２の送信部５２が、パケット１２を他の中継ＰＧＷ２２又は関門ＰＧＷ３２に送信する（ステップＳ７２８）。
【００４０】
以降、パケット１２がインターネット２６やユーザＬＡＮ２８等の他のネットワークに送信されるまで、他の中継ＰＧＷ２２又は関門ＰＧＷ３２でも、ステップＳ７２０〜Ｓ７２８と同様の動作が行われる。
【００４１】
以上説明したように、トラヒック情報取得システム１０によれば、トラヒック情報の取得対象であるか否かを示す取得対象情報を加入者番号毎にＭ−ＳＣＰ２４に登録しておくことにより、ＰＰＭ１８において、取得対象である携帯型端末１４から送信されたパケット１２の上位ヘッダ３８には、データ量の計測を指示する指示情報が格納される。このため、本移動体通信網を構成するすべての中継ＰＧＷ２２及び関門ＰＧＷ３２のそれぞれが、パケット１２を受信した際に、その上位ヘッダ３８に格納された指示情報に従って、パケット１２のデータ量を計測し、加入者番号に対応付けて受信時刻と共に記憶することができる。したがって、トラヒック情報の取得対象である携帯型端末１４の、各中継ＰＧＷ２２及び各関門ＰＧＷ３２におけるトラヒック情報を取得することが可能となる。
【００４２】
また、ＰＰＭ１８も、トラヒック情報の取得対象である携帯型端末１４から送信されたパケット１２を受信した際に、パケット１２のデータ量を計測し、加入者番号に対応付けて受信時刻と共に記憶するため、携帯型端末１４が、異なる複数のＰＰＭ１８を介してパケット通信を行った場合にも、各ＰＰＭ１８におけるトラヒック情報を取得することが可能となる。
【００４３】
このように取得した、各ＰＰＭ１８、各中継ＰＧＷ２２及び各関門ＰＧＷ３２といった各交換機におけるトラヒック情報は、各交換機のデータ処理能力等の設備設計に有効な情報となる。また、トラヒック情報の取得対象とした携帯型端末の使用状況を把握することができ、例えば、好適な時間帯別料金プランの導入や携帯型端末のメモリサイズの設計等に役立てることが可能となる。
【００４４】
さらに、Ｍ−ＳＣＰ２４が、トラヒック情報の取得対象であるか否かを示す取得対象情報を加入者番号に対応付けて一括で管理するため、パケットが通過する可能性のある交換機の特定処理や、特定された交換機（特定不可能な場合はすべての交換機）それぞれへの、取得対象である送信元又は送信先を示す情報の登録処理が不要となる。また、取得対象情報を登録する場合や目的に応じて変更する場合にも、Ｍ−ＳＣＰ２４が管理する情報のみの登録又は変更を行えばよく、変更処理の簡易化を図ることができる。
【００４５】
以上、本発明の好適な一実施形態について詳細に説明したが、本発明は上記実施形態に限定されないことはいうまでもない。
【００４６】
例えば、上記実施形態では、Ｍ−ＳＣＰ２４が、トラヒック情報の取得対象であるか否かを示す取得対象情報を加入者番号に対応付けて一括で管理している場合について説明したが、本発明では、ＰＰＭ１８が取得対象情報を管理するようにしてもよい。
【００４７】
また、上記実施形態では、携帯型端末１４から他のネットワークにパケットを送信する場合について説明したが、本発明は、他のネットワークから携帯型端末１４にパケットが送信される場合にも適用可能である。この場合、関門ＰＧＷ３２に上記実施形態におけるＰＰＭ１８と同様の機能を持たせ、関門ＰＧＷ３２が携帯型端末１４宛てのパケットを受信した際に、当該パケットのヘッダから加入者番号を示す情報（この場合、送信先情報となる）を読み出し、Ｍ−ＳＣＰ２４から当該加入者番号に対応する取得対象情報を取得することにより、携帯型端末１４がトラヒック情報の取得対象である場合には、当該パケットのデータ量を計測して記憶し、さらに、データ量の計測を指示する指示情報を当該パケットのヘッダに格納して中継ＰＧＷ２２送信するようにすることもできる。
【００４８】
また、本実施形態では、移動体通信網においてパケット通信のトラヒック情報を取得する場合について説明したが、本発明はこれに限られず、種々のパケット通信網に適用可能である。
【００４９】
【発明の効果】
以上に説明したように、本発明によれば、トラヒック情報の取得対象である送信元から送信されたパケット、又はトラヒック情報の取得対象である送信先へ送信されるパケットを受信した際には、データ量計測制御装置により、当該パケットのヘッダにデータ量の計測を指示する指示情報が格納される。これにより、パケットが通過する可能性のある交換機の特定処理や、特定された交換機（特定不可能な場合はすべての交換機）それぞれへの、取得対象である送信元又は送信先を示す情報の登録処理が不要となり、各交換装置が、受信したパケットのヘッダに指示情報が格納されているか否かを判断することで、取得対象である送信元から送信されたパケット、又は取得対象である送信先へ送信されるパケットのデータ量を計測することができる。さらに、送信元を識別するための送信元情報又は送信先を識別するための送信先情報に対応付けて当該データ量を記憶することで、トラヒック情報の取得対象である送信元又は送信先の各交換装置におけるトラヒック情報を取得することができる。このように取得したトラヒック情報は、各交換装置のデータ処理能力等の設備設計に有効な情報となる。
【図面の簡単な説明】
【図１】本発明の実施形態に係るトラヒック情報取得システムの全体構成図である。
【図２】トラヒック情報取得システムにおけるパケットの構成図である。
【図３】トラヒック情報取得システムにおけるＭ−ＳＣＰが管理する取得対象情報の説明図である。
【図４】トラヒック情報取得システムにおけるＰＰＭのブロック構成図である。
【図５】トラヒック情報取得システムにおけるＰＰＭの記憶部の記憶テーブルを示す図である。
【図６】トラヒック情報取得システムにおける中継ＰＧＷのブロック構成図である。
【図７】トラヒック情報取得システムの動作を示す遷移図である。
【符号の説明】
１０…トラヒック情報取得システム、１２…パケット、１４…携帯型端末、１８…ＰＰＭ、２０…中継網、２２…中継ＰＧＷ、２４…Ｍ−ＳＣＰ、３２…関門ＰＧＷ、３８…上位ヘッダ、４２…取得対象判断部、４４…受信部、４６、５８…計測部、４８、６０…記憶部、５０…格納部、５２…送信部、５６…指示情報判断部。
【図１】
0003559545.tif 000002
【図２】
0003559545.tif 000003
【図３】
0003559545.tif 000004
【図４】
0003559545.tif 000005
【図５】
0003559545.tif 000006
【図６】
0003559545.tif 000007
【図７】
0003559545.tif 000008